(57)【特許請求の範囲】
【請求項１】
長尺な延び部材を有し、その延び部材の一端部が土木構築物用壁面材に対する取付け端部とされ、その延び部材の他端部に抵抗力を増大するための抵抗力増大手段が設けられている壁面材用アンカーにおいて、
前記延び部材の一端部に、膨らみ部が一体的に設けられていると共に、該膨らみ部よりも該延び部材の軸心方向内方側において、該延び部材の一端部が挿通されるようにして打ち込み筒が保持され、
前記打ち込み筒の端部に、前記膨らみ部が存在する側において、該膨らみ部が該打ち込み筒内に相対的に進入するに伴って拡開する拡開可能片が形成され、
前記延び部材が、略真っ直ぐに延びて該延び部材の大部分を占める主部と、該延び部材の一端側が折曲されて該主部に対して方向を変える折曲部とを有し、
前記折曲部に、該折曲部が挿通されるようにして前記打ち込み筒が保持され、
前記打ち込み筒の端部に、前記膨らみ部が存在する側と反対側において、該打ち込み筒の軸心方向に延びるようにして切欠き部が形成され、
前記延び部材の主部が前記切欠き部を介して外部に延出されている、
ことを特徴とする壁面材用アンカー。
【請求項２】
直線材と、一端部に拡開可能な複数の拡開可能片を有し他端部に該他端から軸心方向内方に延びる切欠き部を有する打ち込み筒とを用意し、
先ず、直線材の一端側を折曲して、該直線材の大部分をなす主部に対して略直角をなす折曲部を形成し、
次に、前記打ち込み筒に前記折曲部を、該打ち込み筒の他端側から通し、
次に、前記打ち込み筒の切欠き部を前記主部が貫通するようにしつつ、前記折曲部に、前記打ち込み筒よりも外側において膨らみ部を形成し、
次に、前記直線材の他端部に抵抗力増大手段を形成する、
ことを特徴とする壁面材用アンカーの製造方法。
【請求項３】
土木構築物用壁面材と壁面材用アンカーとが備えられ、該壁面材用アンカーの一端部が前記土木構築物用壁面材に取付けられ、該壁面材用アンカーの他端部に抵抗力を増大させる抵抗力増大手段が設けられている土木構築物用構築材において、
前記土木構築物用壁面材に、取付け穴が形成され、
前記壁面材用アンカーが、延び部材と、該延び部材の一端部に一体的に設けられる膨らみ部と、該膨らみ部よりも該延び部材の軸心方向内方側において該延び部材に挿通された状態で保持され該膨らみ部が存在する側の端部に拡開する拡開可能片を有する打ち込み筒と、を備えており、
前記取付け穴内に前記延び部材の一端部が挿入されて、前記膨らみ部及び前記打ち込み筒が該取付け穴に収納されていると共に、
前記打ち込み筒内に前記膨らみ部が進入されて、前記各拡開可能片が前記取付け穴の内壁に係止され、
前記取付け穴が、前記土木構築物用壁面材の上、下面のいずれかに形成され、
前記壁面材用アンカーの延び部材が、前記打ち込み筒よりも該延び部材の軸心方向内方側において折曲されて、該打ち込み筒に挿通される折曲部と、該折曲部に対して方向を略直角に変える主部と、有するように構成され、
前記打ち込み筒に、前記膨らみ部側とは反対側端部において、該打ち込み筒の軸心方向に延びる切欠き部が形成され、
前記延び部材の主部が、前記切欠き部を介して外部に延出されている、
ことを特徴とする土木構築物用構築材。
【請求項４】
土木構築物用壁面材として、取付け穴を有するものを用意すると共に、壁面材用アンカーとして、延び部材と、該延び部材の一端部に一体的に設けられる膨らみ部と、該膨らみ部よりも該延び部材の軸心方向内方側において該延び部材に挿通された状態で保持され、該膨らみ部が存在する側の端部に拡開可能な拡開可能片を有する打ち込み筒とを有するものを用意し、前記取付け穴内に、前記壁面材用アンカーにおける延び部材の一端部を、前記膨らみ部及び前記打ち込み筒と共に挿入した上で、前記打ち込み筒に対して、前記取付け穴の底部側に向けて外力を付与する土木構築物用構築材の組立方法であって、
前記土木構築物用壁面材として、前記取付け穴が前記土木構築物用壁面材の上、下面のいずれかに形成されているものを用意すると共に、
前記壁面材用アンカーとして、前記打ち込み筒が、前記膨らみ部側とは反対側端部において、該打ち込み筒の軸心方向に延びる切欠き部を有し、前記延び部材が、前記切欠き部に臨む領域で折曲されて、該打ち込み筒に挿通される折曲部と、該折曲部に対して方向を略直角に変えて前記切欠き部を介して外部に延出する主部と、を有するようにされたものを用意し、
その上で、前記取付け穴内に、前記壁面材用アンカーにおける延び部材の一端部を、前記膨らみ部及び前記打ち込み筒と共に挿入したときに、該打ち込み筒を、前記膨らみ部側とは反対側端部において、前記主部を横切るように突出させ、
次に、前記打ち込み筒における前記膨らみ部側とは反対側端部に対して、前記取付け穴の底部側に向けて外力を付与する、
ことを特徴とする土木構築物用構築材の組立方法。
【発明の詳細な説明】
【０００１】
【発明の属する技術分野】
本発明は、壁面材用アンカー、壁面材用アンカーの製造方法、土木構築物用構築材及び土木構築物用構築材の組立方法に関する。
【０００２】
【従来の技術】
従来、護岸、擁壁等の土木構築物の構築においては、土木構築物用構築材として、自然石やコンクリートブロック等の土木構築物用壁面材に壁面材用アンカーの一端部を取付け、その壁面材用アンカーの他端部に抵抗力を増大させる抵抗力増大手段が設けたものが用いられている。この土木構築物用構築材は、土木構築物の構築に際して、複数用意され、その各土木構築物用構築材の土木構築物用壁面材を、隣り合うように順次配設しつつ積み上げると共に壁面材用アンカーを略水平に配置し、その壁面材用アンカー及び抵抗力増大手段を栗石や割石等の胴込材をもって埋設することとされる。これにより、土圧や流水力に抵抗できる強固な土木構築物を構築できると共に、動植物の生息空間を確保できることになる。
【０００３】
ところで、上記土木構築物用構築材において、土木構築物用壁面材と壁面材用アンカーの一端部との取付け構造は、土木構築物用壁面材に取付け穴を形成し、その取付け穴に接着剤と共に壁面材用アンカーの一端部を挿入したり、土木構築物用壁面材に形成された取付け穴に接着剤と共にナットを挿入して、予めナットを取付け穴に固定しておき、そのナットに、壁面材用アンカーの一端部に形成された雄ねじを螺合することとされている。
【０００４】
【発明が解決しようとする課題】
しかし、前者に係る取付け構造においては、接着剤を用いるため、土木構築物用壁面材と壁面材用アンカーの一端部との取付け作業後、直ちに使用することはできず、使用可能状態となるために、接着剤の硬化を待たなければならない。また、後者の取付け構造においては、予め取付け穴内にナットを固定しておけば、土木構築物用壁面材と壁面材用アンカーの一端部との取付け作業後、直ちに使用することはできるものの、取付け穴に対するナットの固定、壁材用アンカーの一端部への雄ねじの刻設等の新たな作業負担が強いられることになる。
【０００５】
本発明は以上のような事情を勘案してなされたもので、その第１の技術的課題は、作業負担を極力増大させることなく、土木構築物用壁面材に対する取付け作業を迅速に終えると共に、その土木構築物用壁面材に対する取付け作業後、直ちに土木構築物用構築材として使用できる壁面材用アンカーを提供することにある。
第２の技術的課題は、上記壁面材用アンカーの製造方法を提供することにある。
第３の技術的課題は、上記壁面材用アンカーを用いた土木構築物用構築材を提供することにある。
第４の技術的課題は、上記土木構築物用構築材の組立方法を提供することにある。
【０００６】
【課題を解決するための手段】
上記第１の技術的課題を達成するために本発明（請求項１の発明）にあっては、
長尺な延び部材を有し、その延び部材の一端部が土木構築物用壁面材に対する取付け端部とされ、その延び部材の他端部に抵抗力を増大するための抵抗力増大手段が設けられている壁面材用アンカーにおいて、
前記延び部材の一端部に、膨らみ部が一体的に設けられていると共に、該膨らみ部よりも該延び部材の軸心方向内方側において、該延び部材の一端部が挿通されるようにして打ち込み筒が保持され、
前記打ち込み筒の端部に、前記膨らみ部が存在する側において、該膨らみ部が該打ち込み筒内に相対的に進入するに伴って拡開する拡開可能片が形成され、
前記延び部材が、略真っ直ぐに延びて該延び部材の大部分を占める主部と、該延び部材の一端側が折曲されて該主部に対して方向を変える折曲部とを有し、
前記折曲部に、該折曲部が挿通されるようにして前記打ち込み筒が保持され、
前記打ち込み筒の端部に、前記膨らみ部が存在する側と反対側において、該打ち込み筒の軸心方向に延びるようにして切欠き部が形成され、
前記延び部材の主部が前記切欠き部を介して外部に延出されている構成としてある。
【０００７】
上記第２の技術的課題を達成するために本発明（請求項２の発明）にあっては、
直線材と、一端部に拡開可能な複数の拡開可能片を有し他端部に該他端から軸心方向内方に延びる切欠き部を有する打ち込み筒とを用意し、
先ず、直線材の一端側を折曲して、該直線材の大部分をなす主部に対して略直角をなす折曲部を形成し、
次に、前記打ち込み筒に前記折曲部を、該打ち込み筒の他端側から通し、
次に、前記打ち込み筒の切欠き部を前記主部が貫通するようにしつつ、前記折曲部に、前記打ち込み筒よりも外側において膨らみ部を形成し、
次に、前記直線材の他端部に抵抗力増大手段を形成する、
ことを特徴とする壁面材用アンカーの製造方法とした構成としてある。
【０００８】
上記第３の技術的課題を達成するために本発明（請求項３の発明）にあっては、
土木構築物用壁面材と壁面材用アンカーとが備えられ、該壁面材用アンカーの一端部が前記土木構築物用壁面材に取付けられ、該壁面材用アンカーの他端部に抵抗力を増大させる抵抗力増大手段が設けられている土木構築物用構築材において、
前記土木構築物用壁面材に、取付け穴が形成され、
前記壁面材用アンカーが、延び部材と、該延び部材の一端部に一体的に設けられる膨らみ部と、該膨らみ部よりも該延び部材の軸心方向内方側において該延び部材に挿通された状態で保持され該膨らみ部が存在する側の端部に拡開する拡開可能片を有する打ち込み筒と、を備えており、
前記取付け穴内に前記延び部材の一端部が挿入されて、前記膨らみ部及び前記打ち込み筒が該取付け穴に収納されていると共に、
前記打ち込み筒内に前記膨らみ部が進入されて、前記各拡開可能片が前記取付け穴の内壁に係止され、
前記取付け穴が、前記土木構築物用壁面材の上、下面のいずれかに形成され、
前記壁面材用アンカーの延び部材が、前記打ち込み筒よりも該延び部材の軸心方向内方側において折曲されて、該打ち込み筒に挿通される折曲部と、該折曲部に対して方向を略直角に変える主部と、有するように構成され、
前記打ち込み筒に、前記膨らみ部側とは反対側端部において、該打ち込み筒の軸心方向に延びる切欠き部が形成され、
前記延び部材の主部が、前記切欠き部を介して外部に延出されている構成としてある。
【０００９】
上記第４の技術的課題を達成するために本発明（請求項４の発明）にあっては、
土木構築物用壁面材として、取付け穴を有するものを用意すると共に、壁面材用アンカーとして、延び部材と、該延び部材の一端部に一体的に設けられる膨らみ部と、該膨らみ部よりも該延び部材の軸心方向内方側において該延び部材に挿通された状態で保持され、該膨らみ部が存在する側の端部に拡開可能な拡開可能片を有する打ち込み筒とを有するものを用意し、前記取付け穴内に、前記壁面材用アンカーにおける延び部材の一端部を、前記膨らみ部及び前記打ち込み筒と共に挿入した上で、前記打ち込み筒に対して、前記取付け穴の底部側に向けて外力を付与する土木構築物用構築材の組立方法であって、
前記土木構築物用壁面材として、前記取付け穴が前記土木構築物用壁面材の上、下面のいずれかに形成されているものを用意すると共に、
前記壁面材用アンカーとして、前記打ち込み筒が、前記膨らみ部側とは反対側端部において、該打ち込み筒の軸心方向に延びる切欠き部を有し、前記延び部材が、前記切欠き部に臨む領域で折曲されて、該打ち込み筒に挿通される折曲部と、該折曲部に対して方向を略直角に変えて前記切欠き部を介して外部に延出する主部と、を有するようにされたものを用意し、
その上で、前記取付け穴内に、前記壁面材用アンカーにおける延び部材の一端部を、前記膨らみ部及び前記打ち込み筒と共に挿入したときに、該打ち込み筒を、前記膨らみ部側とは反対側端部において、前記主部を横切るように突出させ、
次に、前記打ち込み筒における前記膨らみ部側とは反対側端部に対して、前記取付け穴の底部側に向けて外力を付与する構成としてある。
【００１０】
【発明の効果】
請求項１に記載された発明によれば、土木構築物用壁面材に形成された取付け穴内に、延び部材の一端部における膨らみ部と打ち込み筒とを挿入し、その打ち込み筒端部における拡開可能片を、該打ち込み筒内への膨らみ部の相対的な進入に基づき押し開いた状態にすれば、その各拡開可能片を取付け穴の内壁に係止させることができることになり、土木構築物用壁面材の取付け穴に何等の処理、処置を施すことなく、当該壁面材用アンカーの一端部を土木構築物用壁面材に固定できることになる。このため、当該壁面材用アンカーを用いることにより、作業負担を極力増大させることなく、土木構築物用壁面材に対する取付け作業を迅速に行えると共に、その土木構築物用壁面材に対する取付け作業後、直ちに土木構築物用構築材として使用できることになる。
【００１１】
また、当該壁面材用アンカーにおいては、部品が全て連結関係にあり、一体物として取り扱うことができることになる。このため、部品管理を容易にするだけでなく、土木構築物用壁面材に対する取付けに際しての取り扱い性を向上させることができることになる。
【００１２】
さらに、延び部材が、略真っ直ぐに延びて該延び部材の大部分を占める主部と、該延び部材の一端側が折曲されて該主部に対して方向を変える折曲部とを有し、その折曲部に、該折曲部が挿通されるようにして打ち込み筒が保持されていることから、土木構築物用壁面材に対する取付け前の当該壁面材用アンカーにおいて、打ち込み筒の移動を膨らみ部と主部とにより規制することになり、打ち込み筒を延び部材が保持していても、その延び部材上を打ち込み筒が移動することによって取り扱い性が低下することを防止できることになる。
さらにまた、延び部材が主部と、該主部に対して方向を変える折曲部とを有していることから、その主部に対して折曲された形状（引っ掛ける形状）に基づいても、延び部材と取付け穴との係止関係が高められることになり、延び部材の一端部からの土木構築物用壁面材の抜けを一層確実に防止できることになる。
【００１３】
加えて、打ち込み筒の端部に、膨らみ部が存在する側と反対側において、該打ち込み筒の軸心方向に延びるようにして切欠き部が形成され、延び部材の主部が切欠き部を介して外部に延出されていることから、当該壁面材用アンカーを土木構築物用壁面材の取付け穴に取付けるに際して、打ち込み筒の端部が延び部材の主部を横切るように突出することを利用し、その打ち込み筒の端面に対して直接、外力を加えることにより、主部を損傷することなく、打ち込み筒を膨らみ部に抗して取付け穴に押し込むこと（固定すること）ができることになる。このため、当該壁面材用アンカーを用いれば、打ち込み筒を取付け穴に押し込むに際して、専用治具を用いなくてもよいようにすることができることになる。
【００１４】
請求項２に記載された発明によれば、直線材と、一端部に拡開可能な複数の拡開可能片を有し他端部に該他端から軸心方向内方に延びる切欠き部を有する打ち込み筒とを用意し、先ず、直線材の一端側を折曲して、該直線材の大部分をなす主部に対して略直角をなす折曲部を形成し、次に、前記打ち込み筒に前記折曲部を、該打ち込み筒の他端側から通し、次に、前記打ち込み筒の切欠き部を前記主部が貫通するようにしつつ、前記折曲部に、前記打ち込み筒よりも外側において膨らみ部を形成し、次に、前記直線材の他端部に抵抗力増大手段を形成することから、その順序に従うことにより、前記請求項１に係る壁面材用アンカーを具体的に得ることができることになる。
【００１５】
請求項３に記載された発明によれば、打ち込み筒内に延び部材の膨らみ部が進入されて、各拡開可能片が取付け穴の内壁に係止されていることから、打ち込み筒内に延び部材の膨らみ部を進入させる打ち込み作業だけで、土木構築物用壁面材に対する壁面材用アンカーの取付け作業を終えて、直ちに土木構築物用構築材として使用できるばかりか、土木構築物用壁面材と壁面材用アンカーとの間に抜け方向の力が作用しても、その力が大きくなればなるほど膨らみ部が打ち込み筒内に進入して各拡開片と取付け穴内壁との係止関係を高めることができることになる。このため、壁面材用アンカーの一端部からの土木構築物用壁面材の抜けを確実に防止できることになる。
【００１６】
また、取付け穴が、土木構築物用壁面材の上、下面のいずれかに形成され、壁面材用アンカーの延び部材が、打ち込み筒よりも延び部材の軸心方向内方側において折曲されて、該打ち込み筒に挿通される折曲部と、該折曲部に対して方向を略直角に変える主部と、有するように構成されていることから、その延び部材の折曲形状（引っ掛ける形状）によっても、取付け穴と延び部材との係止関係が高められ、使用状態（配設状態）において、土木構築物用壁面材と壁面材用アンカーとの間に、離間させようとする力（土木構築物用壁面材の脱落方向の力）が作用しても、それに十分に抗して、土木構築物用壁面材と壁面材用アンカーの一端部との取付け関係を維持できることになる。
【００１７】
さらに、打ち込み筒に、膨らみ部側とは反対側端部において、該打ち込み筒の軸心方向に延びる切欠き部が形成され、延び部材の主部が、切欠き部を介して外部に延出されていることから、土木構築物用壁面材と壁面材用アンカーの一端部との取付け時に、打ち込み筒の他端が延び部材の主部よりも突出することを利用し、専用治具を用いることなくその打ち込み筒の他端に対して直接、外力を加えることにより、主部を損傷することなく、打ち込み筒を膨らみ部に抗して取付け穴に押し込むこと（固定すること）ができるだけでなく、打ち込み筒により、延び部材をできるだけ保護することができることになる。
【００１８】
請求項４に記載された発明によれば、取付け穴内に、壁面材用アンカーにおける延び部材の一端部を、膨らみ部及び前記打ち込み筒と共に挿入し、次いで、打ち込み筒に対して、取付け穴の底部側に向けて外力を付与することから、その外力に基づき打ち込み筒が取付け穴内に膨らみ部に抗して移動し、これに伴い、膨らみ部が打ち込み筒内に相対的に進入して各拡開可能片を押し開くことになり、その各拡開可能片は取付け穴の内壁に係止されることになる。このため、当該組立方法によれば、土木構築物用壁面材の取付け穴に何等の処理、処置を施すことなく、壁面材用アンカーの一端部を土木構築物用壁面材に固定できることになり、土木構築物用壁面材に対する取付け作業を迅速に行えると共に、その土木構築物用壁面材に対する取付け作業後、直ちに土木構築物用構築材として使用できることになる。
しかも、打ち込み筒、膨らみ部等は、壁面材用アンカーに備え付けられており、組立において用いる部品は、その壁面材用アンカーと、土木構築物用壁面材だけになり、部品管理及び組立を容易にすることができることになる。
【００１９】
また、取付け穴内に延び部材の一端部を、膨らみ部及び打ち込み筒と共に挿入したときに、該打ち込み筒を、前記膨らみ部側とは反対側端部において、前記主部を横切るように突出させ、次いで、打ち込み筒における膨らみ部側とは反対側端部に対して、取付け穴の底部側に向けて外力を付与することから、主部を損傷させることなく、打ち込み筒に直接、外力を付与して、打ち込み筒を取付け穴に押し込むこと（固定すること）ができることになり、専用治具を使用しなくてもよいようにすることができることになる。このため、土木構築物用構築材の組立性を著しく向上させることができることになる。
【００２０】
【発明の実施の形態】
以下、本発明の実施形態について図面に基づいて説明する。
【００２１】
図１〜図６は第１実施形態を示すものである。この第１実施形態においては、符号１は、土木構築物としての護岸等を構築するために積み上げたりして用いられる土木構築物用構築材である。この土木構築物用構築材１は、図１に示すように、土木構築物用壁面材２としての自然石（以下、本実施形態においては符号２を用いる）と、壁面材用アンカー（以下、アンカーと称す）３とを備えている。
【００２２】
前記自然石２としては、玉石、割石、栗石等が用いられており、その圧縮強さは３０Ｎ／ｍｍ2以上とされ、その大きさは施工護岸に応じて適宜決められることになっている。具体的には、直径が１００〜５００ｍｍの範囲のものが好ましく、３００ｍｍ内外のものを用いるのがより好ましい。勿論、自然石２に代えて、擬石、植生用ポット等を用いてもよい。
【００２３】
このような自然石２には、本実施形態においては、図２に示すように、一つの取付け穴４が形成されている。取付け穴４は、自然石２のうち、上、下面とするべき個所のいずれかにおいて（本実施形態においては、自然石２の上面側であって、その後端部側）、ドリル等の加工具５を用いて所定径ｄ１（例えば１０〜１１ｍｍ前後）で所定深さｄ２（例えば５０ｍｍ前後）のものに形成され、その取付け穴４は、自然石２の下面側にまで貫通しないことになっている（図４参照）。
【００２４】
前記アンカー３は、図１、図２に示すように、前記自然石２に連結されている。このアンカー３には、自然石２の使用時（積み上げ状態時）の移動（滑落）を胴込材（アンカー３を埋設する埋設材）との抵抗により防ぐべく、軸状部７（延び部材）、湾曲部としてのカール部８、ストッパパネル９（抵抗力増大手段）等が備えられている。
【００２５】
上記軸状部７及びカール部８は、直線材により一体的に形成されている。直線材は、強度、加工性等を考慮して、鉄線、鉄筋、パイプ等が好ましく、本実施形態においては、線径６ｍｍ程度の鉄線（アルミニウムを１０％程度含有）が用いられている。この直線材の外周には、錆止めを目的として、メッキ層、樹脂被覆層を形成するのが好ましい。
【００２６】
上記軸状部７は、本実施形態においては、真っ直ぐ延びて軸状部７の大部分を占める主部２１と、軸状部７の一端側（図１中、右側）において折曲された折曲部２２とを有しており、その両者２１，２２を含めた全長は、０．５〜１．５ｍ程度、好ましくは０．５ｍ〜０．８ｍ程度とされている。折曲部２２は、主部２１に対して略９０°程度に方向を変えた状態で、例えば６０ｍｍ〜７０ｍｍ前後の長さをもって真っ直ぐに延びており、その折曲部２１の先端部（軸状部の一端部）にはくさび状の膨らみ部２３が一体的に形成されている。また、この折曲部２１には、その膨らみ部２３と主部２１（軸状部７の曲がり部）との間において、打ち込み筒としての係止筒２４が保持されている。係止筒２４は、鉄材等を用いて円筒状（軸心方向長さ５０ｍｍ前後）に形成されており、その係止筒２４内には、図３に示すように、自然石２に対する取付け前において折曲部２２が遊嵌状態をもって挿通され、係止筒２４は、主部２１と膨らみ部２３とにより、折曲部２２の軸心方向に移動することが規制されることになっている。係止筒２４には、一端側である膨らみ部２３の存在側において、複数のスリット２５が該係止筒２４の周方向に間隔をあけて形成されている。各スリット２５は、折曲部２２の先端から軸心方向内方に入り込んでおり、係止筒２４における各スリット２５間の構成部は、拡開可能片２６を構成している。この拡拡開可能片２６は、前記膨らみ部２３が係止筒２４内に進入するに伴い、係止筒２４の径方向外側に押し開かれることになっており、その各拡開可能片２６が、取付けられた状態において、図２に示すように、取付け穴４の内壁に係止されている。
尚、符号２７は、係止筒２４が膨らみ部２３に抗して所望位置まで移動したか否かを判断するためのマークである。
【００２７】
前記カール部８は、図１に示すように、軸状部７の他端部（図１の左端部）がカ−ル状に巻かれて形成されている。このカール部８内には、内径３０ｍｍ前後の円状の孔が形成されており、その孔の形成後、そのアンカー３の他端部（湾曲終端部）は、巻き付け部１１として、溶接されることなく単に、軸状部７に巻かれることになっている。このため、巻き付け部１１にカール部８に向けて外力が作用したときには、巻き付け部１１は、該巻き付け部１１と軸状部７との案内効果に基づきカール部８に必ず係合（当接）されて移動が規制されることになっている。
【００２８】
前記ストッパパネル９は、図１に示すように、その板面を軸状部７の延び方向に向けつつ該軸状部７に移動可能に保持されている。ストッパパネル９は、樹脂、例えばＡＢＳ樹脂を用いて、一辺が１５０ｍｍ前後、厚みが６ｍｍ前後とされた正方形状の合成樹脂板とされており、その中心部に挿通孔１４が形成されている。このストッパパネル９の挿通孔１４には、軸状部７が挿通されており、ストッパパネル９は、軸状部７を移動できる一方、カール部８によってその移動が規制されることになっている。
【００２９】
したがって、このような土木構築物用構築材１においては、自然石２に対してアンカー３を、係止筒２４を用いて迅速に取付けて、直ちに使用できるばかりか、主部２１に対する折曲部２２の曲がり形状により、アンカー３と自然石２における取付け穴４との係止関係が向上されることになり、その両者２，３の取付け関係を一層、強固にすることができることになる。
【００３０】
上記アンカー３は、次のようにして製造されている。先ず、直線材を用意し、その直線材の一端部に膨らみ部２３が形成される。膨らみ部２３の形成には、成型等が用いられ、その膨らみ部２３は、直線材の軸心方向外方に向かうに従って広がるくさび状に形成される。次に、前記係止筒２４に直線材が、その他端側から通され、係止筒２４は、直線材の一端側における膨らみ部２３に当接するまで移動される。このとき、係止筒２４は、スリット２５の存在する側が膨らみ部２３側に向けられる。
【００３１】
次に、係止筒２４を膨らみ部２３側に寄せつつ、直線材の一端側が折曲され、折曲部２２が形成される。これにより、係止筒２４は、膨らみ部２３と主部２１とにより移動が規制されることになり、係止筒２４が保持されていても、取り扱いを容易にすることができることになる。
【００３２】
次に、ストッパパネル９に対して直線材が、その他端側から通され、その後、その直線材の他端部がカール状に巻かれてカール部８が形成され、これにより、アンカー３が得られることになる。この場合、ストッパパネル９に対する直線材の挿入、カール部８の形成に至る前までの工程を工場で行う一方、ストッパパネル９に対する直線材の挿入、カール部８の形成に関しては、搬送性、輸送コスト等の観点から、施工現場において行うことがことが好ましい。勿論、それらを含めて全ての工程を工場において行ってもよい。
【００３３】
また、折曲部２２に対して係止筒２４を保持するまでの方法として、直線材の一端部を折曲して折曲部２２を形成し、その折曲部２２を係止筒２４に通した後、その折曲部２２に膨らみ部２３を形成してもよい。
【００３４】
上記土木構築物用構築材１は、次のようにして組立られる。
先ず、図４に示すように、自然石２を用意し、その自然石２にドリル等の加工具５を用いて取付け穴４を形成する。取付け穴４の内壁をもって、前記アンカー３における係止筒２４の各拡開可能片２６が係止する係止面を確保するためである。この場合、取付け穴４の加工は、自然石２の上、下面のいずれかに（より好ましくは後端部寄りの位置）に施される。図４中、符号６は、取付け穴４を所定深さｄ２とするためのいわゆるアタリである。
勿論、上記のようにして取付け穴４を形成した自然石２を予め用意しておき、それを施工現場に搬送して、施工現場での組立に供してもよい。
【００３５】
次に、前記アンカー３を組立部品として用意し、そのアンカー３の折曲部２２及び係止筒２４を、図５に示すように、上記取付け穴４に挿入する。自然石２に対するアンカー３における一端部の取付け作業を行うべく、係止筒２４の各拡開可能片２６を取付け穴４の内壁に臨ませるためである。この場合、折曲部２２は、その先端面が取付け穴４の底面に当接されるまで挿入され、係止筒２４の一端は、重力に基づき膨らみ部２３に当接する状態となる。
【００３６】
次に、図５、図６に示すように、専用治具２８を係止筒２４の他端面にセットする。専用治具２８をもって係止筒２４を取付け穴４内に打ち込めるようにするためである。この専用治具２８は、略コ字状をなす押し込み部２９と、その押し込み部２９の底部外面に設けられる打撃部３０とを有している。押し込み部２９は、その内部空間が軸状部７の曲がり部（主部２１，折曲部２２）を包み込むように収納しつつ、その先端面が係止筒２４の他端面上に載ることができるように形成されており、そのような状態で、打撃部２０をハンマー等により叩くことにより、外力を係止筒２４に対して軸心方向（下方向き）に付与することができることになっている。尚、図５中、符号３１は、折曲部２２に対する専用治具２８の位置決めを行うストッパである。
【００３７】
次に、上記状態の専用治具２８の打撃部３０をハンマー等により叩いて、係止筒２４を膨らみ部２３に抗して取付け穴４内に押し込む。膨らみ部２３を係止筒２４内に進入させて、各拡開可能片２６を押し開き、その各拡開可能片２６を取付け穴４の内壁に係止させるためである。これにより、図２に示すように、アンカー３の折曲部２２が自然石２に取付けられることになり、当該土木構築物用構築材１を得ることになる。
この場合、係止筒２４の押し込みは、該係止筒２４によって隠されていた折曲部２２上のマーク２７が現れるまで行われ、各拡開可能片２６が的確に所望の拡開状態となるようになっている。
【００３８】
したがって、このような組み付け方法においては、係止筒２４を予め保持したアンカー３を用いることから、取り扱い性を容易にできるばかりか、自然石２に取付け穴４を形成した後、直ちに、その取付け穴４内に係止筒２４と共に折曲部２２を挿入して、係止筒２４を取付け穴４底部に向けて打ち込むことにより、折曲部２２（アンカー３の一端部）と自然石２が一体化することになり、接着剤を用いたり、取付け穴４内に予め取付け具を取付けたりすることが不要となる。この結果、施工現場において要求される迅速な組立を満足できることになる。
【００３９】
図７、図８は第２実施形態、図９、図１０は第３実施形態を示す。この各実施形態において、前記１実施形態と同一構成要素については同一符号を付してその説明を省略する。
【００４０】
図７、図８に示す第２実施形態においては、係止筒２４の他端側に、該係止筒２４の他端から該係止筒２４の軸心方向内方に向けて切り欠き部３２が形成されており、この切り欠き部３２を介して外方に軸状部７の主部２１が延出することになっている。そして、折曲部２２の先端面を取付け穴４の底部に当接させて、膨らみ部２３に係止筒２４の一端が当接させたときには、係止筒２４の他端は主部２１よりも所定長さＬだけ突出した位置に位置することになっている。このため、この状態で、係止筒２４の他端面を直接叩いて、該係止筒２４を取付け穴４内に押し込めば、前記第１実施形態と同様の作用に基づき、各拡開可能片が２６が取付け穴４の内壁に係止されることになる。したがって、この第２実施形態においては、自然石２に対するアンカー３の一端部の取付けに際し、専用治具を用いる必要はなくなり、組立作業性を向上させることができることになる。
尚、この第２実施形態においては、折曲部２２に対して係止筒２４を保持するまでの方法として、直線材の一端部を折曲して折曲部２２を形成し、その折曲部２２を係止筒２４に通した後、その折曲部２２に膨らみ部２３を形成するのが好ましい。切欠き部３２内深くまで主部２１を横切るように入れる必要があるからである。
【００４１】
図９、図１０に示す第３実施形態においては、アンカー３として、軸状部７の一端部を曲げることなく真っ直ぐにしたものを対象としている。このアンカー３の一端部を自然石２に取付けるに際しては、専用治具３３が用いられる。この専用治具３３は、長尺の第１筒状部材３４と、その第１筒状部材３４の外周に摺動可能に嵌合される第２筒状部材３５とを備えている。第１筒状部材３４の一端部外周にはフランジ部３６が形成され、その他端部外周にはフランジ部３６は形成されていない。この第１筒状部材３４には、その全長全体に亘ってスリット３７が形成されており、そのスリット３７を介して、アンカー３の軸状部７が第１筒状部材３４内に進入可能となっている。第２筒状部材３５は、第１筒状部材３４の他端側から該第１筒状部材３４外周に嵌合可能とされており、この第２筒状部材３５にも、全長に亘って、アンカー３の軸状部７が進入可能なスリット３８が形成されている。この専用治具３３を用いて、自然石２に対するアンカー３の一端部の取付けを行うに際しては、第１，第２筒状部材３４，３５の嵌合状態において、両スリット３７，３８が重なるようにし、フランジ部３６の存在する側をアンカー３の係止筒２４側に向けつつ、その両スリット３７，３８を介してアンカー３の軸状部７を第１筒状部材３４内に進入させる。そして、係止筒２４に対する外力の伝達性を考慮したスペーサ部材３９（第１，第２筒状部材同様、アンカー３の軸状部７が進入可能にスリットが形成されている）を、係止筒２４と第１筒状部材３４のフランジ部３６との間に介在させた後、第２筒状部材３５を手でもって摺動させて第１筒状部材３４のフランジ部３６に衝突させ、その第２筒状部材３５の移動力をフランジ部３６、スペーサ部材３９を介して係止筒２４に付与する。これにより、係止筒２４は、膨らみ部２３に抗して取付け穴４に向けて押し込まれることになり、前記各実施形態同様、アンカー３の一端部は、自然石２に一体化されることになる。
【００４２】
尚、本発明の目的は、明記されたものに限らず、実質的に好ましい或は利点として記載されたものに対応したものを提供することをも暗黙的に含むものである。
【図面の簡単な説明】
【図１】第１実施形態に係る土木構築物用構築材を示す説明図。
【図２】図１の要部拡大図。
【図３】第１実施形態に係るアンカーの一端部の構造を説明する説明図。
【図４】自然石に対する取付け穴の加工を説明する説明図。
【図５】自然石に対するアンカーの一端部の取付けを説明する説明図。
【図６】図５の左側面図。
【図７】第２実施形態に係る土木構築物用構築材を示す説明図。
【図８】第２実施形態に係るアンカーの一端部をアンカーの他端部側から見た図。
【図９】第３実施形態に係る土木構築物用構築材を専用治具を用いて自然石に取付ける作業を説明する説明図。
【図１０】図９のＸ−Ｘ線拡大断面図。
【符号の説明】
１ 土木構築物用構築材
２ 自然石
３ アンカー
４ 取付け穴
７ 軸状部
２１ 主部
２２ 折曲部
２３ 膨らみ部
２４ 係止筒
２５ スリット
２６ 拡開可能片
３２ 切り欠き部
【図１】
0003708835.tif 000002
【図２】
0003708835.tif 000003
【図３】
0003708835.tif 000004
【図４】
0003708835.tif 000005
【図５】
0003708835.tif 000006
【図６】
0003708835.tif 000007
【図７】
0003708835.tif 000008
【図８】
0003708835.tif 000009
【図９】
0003708835.tif 000010
【図１０】
0003708835.tif 000011